(57)【要約】    【構成】  底板部材（１２ａ、１２ｂ）の接合端面（１８ａ、１８ｂ）に、立ち上がり管を受容する凹部（２０Ａａ、２０Ａｂ、２０Ｂａ、２０Ｂｂ）を形成する。この凹部を利用して底板部材が立ち上がり管を挟むように組み合わせることによって、底板（１２）を形成し、その底板（１２）上に立ち上がり管（１０２、１０４）の管端が位置し、その状態で、底板上に枠体（１４）を載せることによって、枠体（１４）と底板（１２）すなわち底板部材（１２ａ、１２ｂ）とが一体化される。立ち上がり管の管端は底板上にあるので、枠体がその管端を囲繞して、桝（１０）が設置される。    【効果】  容易に桝を設置し、または更新することができる。【選択図】図２
2014087306.tif 000002
【特許請求の範囲】
【請求項１】
立ち上がり管の管端を内部に包含する桝であって、
組み合わせるときに前記立ち上がり管を挟むことができるように分割され、組み合わせることによって底板を形成する底板部材、および
立ち上がり管を挟んで組み合せた底板部材が形成する底板と一体化されて、前記管端を囲繞する枠体を備える、桝。
【請求項２】
前記底板部材には組み合わせたとき孔を形成する凹部を含み、前記凹部で前記立ち上り管を挟む、請求項１記載の、桝。
【請求項３】
前記底板部材および前記枠体にそれぞれ形成される第１嵌合部および第２嵌合部をさらに備える、請求項１または２記載の桝。
【請求項４】
前記第１嵌合部は前記底板部材の上面および下面にそれぞれ形成される、請求項３記載の桝。
【請求項５】
前記底板部材は、前記底板の周縁の少なくとも一部が前記枠体の外方に露出する大きさにされる、請求項１ないし４のいずれかに記載の桝。
【請求項６】
前記枠体は、立ち上がり管の管端より高い位置に形成される流出部を含む、請求項１ないし５のいずれかに記載の桝。
【請求項７】
組み合わせるときに立ち上がり管を挟むことができるように分割され、組み合わせることによって底板を形成する底板部材、および前記底板部材が形成する底板と一体化される枠体を用いて、前記立ち上がり管の管端を内部に包含する桝の設置方法であって、
前記底板部材を、前記立ち上がり管を挟むように組み合わせて底板を設置し、そして
前記枠体を、前記立ち上がり管の管端を囲繞するように前記底板と一体化する、桝の設置方法。
【請求項８】
組み合わせるときに立ち上がり管を挟むことができるように分割され、組み合わせることによって底板を形成する底板部材、および前記底板部材が形成する底板と一体化される枠体を用いて、前記立ち上がり管の管端を内部に包含する桝の更新方法であって、
前記立ち上がり管を残して既設の桝を除去し、
前記底板部材を、前記立ち上がり管を挟むように組み合わせて底板を設置し、そして
前記枠体を、前記立ち上がり管の管端を囲繞するように前記底板と一体化する、桝の更新方法。
【発明の詳細な説明】
【技術分野】
【０００１】
この発明は、桝および桝の設置方法ならびに更新方法に関し、特にたとえば、圃場に設けられて灌漑用の水を圃場に供給する給水バルブを保護する農業用桝などの、桝と、桝の設置方法ならびに更新方法に関する。
【背景技術】
【０００２】
特許文献１や特許文献２にこの種の桝の一例が開示されている。特許文献１および２では、給水バルブを設ける農業用桝（以下、単に「桝」という。）は、たとえば圃場のたとえば上流側に設けられ、そこから灌漑用の水を流出させる。
【０００３】
農業用桝は、多くはコンクリートで形成されるが、老朽化したり、農業機械との接触で破損したりした場合、桝を更新する必要がある。
【特許文献１】特開２００５‐２１１２５４号［A01G 25/00 25/06］
【特許文献２】特開２００６‐８１４３６号［A01G 25/06 25/00］
【発明の概要】
【発明が解決しようとする課題】
【０００４】
農業用の給水バルブは、たとえば地中から立ち上がった給水管の出口端に設けられて、圃場に流出させる水の量を調整する。給水管の出口端は上方に向いているため、給水バルブは、そこから上方に吐出される水を地面方向（下方）に向けるための、傘の形状をしたキャップを含む。このキャップの直径は給水管（立ち上がり管）の口径よりかなり大きいので、キャップが桝の更新の邪魔になる。そこで、桝を更新するときは給水バルブも含めて取り外さざるを得ず、更新に時間がかかるだけでなく、更新費用が高くなってしまう。
【０００５】
それゆえに、この発明の主たる目的は、新規な、桝を提供することである。
【０００６】
この発明の他の目的は、容易に設置または更新できる、桝を提供することである。
【０００７】
この発明のさらに他の目的は、新規な、桝の設置方法および更新方法を提供することである。
【０００８】
この発明のその他の目的は、容易に更新できる、桝の設置方法および更新方法を提供することである。
【課題を解決するための手段】
【０００９】
本発明は、上記の課題を解決するために、以下の構成を採用した。なお、括弧内の参照符号および補足説明などは、本発明の理解を助けるために後述する実施の形態との対応関係を示したものであって、本発明を何ら限定するものではない。
【００１０】
請求項１の発明は、立ち上がり管の管端を内部に包含する桝であって、組み合わせるときに立ち上がり管を挟むことができるように分割され、組み合わせることによって底板を形成する底板部材、および立ち上がり管を挟んで組み合せた底板部材が形成する底板と一体化されて、管端を囲繞する枠体を備える、桝である。
【００１１】
請求項１の発明では、桝（１０：実施例で相当する部分を例示する参照符号。以下同じ。）は、立ち上がり管（１０２、１０４）の管端を内部に包含する。組み合わせることによって底板（１２）を形成する底板部材（１２ａ、１２ｂ）は、組み合わせるときに立ち上がり管を挟むことができるように分割される。実施例では、底板部材（１２ａ、１２ｂ）は接合端面（１８ａ、１８ｂ）で突き合わされて接合されるように形成しているが、それぞれの接合端面に、立ち上がり管を受容する凹部（２０Ａａ、２０Ａｂ、２０Ｂａ、２０Ｂｂ）を形成しておき、それによって底板部材が組み合わせ時に立ち上がり管を挟むことができるようにしている。
【００１２】
そのようにして凹部（２０Ａａ、２０Ａｂ、２０Ｂａ、２０Ｂｂ）で立ち上がり管を挟んで底板部材で形成した底板（１２）上に立ち上がり管（１０２、１０４）の管端が臨まされている。つまり、立ち上がり管が底板部材（１２ａ、１２ｂ）を組み合わせることによって形成される孔（２２、２４）を貫通して、立上り管の管端が底板上に位置する。その状態で、たとえば底板上に枠体（１４）を載せることによって、枠体（１４）と底板（１２）すなわち底板部材（１２ａ、１２ｂ）とが一体化される。立ち上がり管の管端は底板上にあるので、枠体がその管端を囲繞することになる。
【００１３】
請求項１の発明によれば、立ち上がり管を挟んで底板部材を組み合わせることによって底板を形成するようにしたので、仮に立ち上がり管やそれの付属物があっても、容易に、桝を設置し、あるいは桝を更新することができる。
【００１４】
請求項２の発明は、請求項１記載の発明に従属し、底板部材には組み合わせたとき孔を形成する凹部を含み、凹部で立ち上り管を挟む、桝である。
【００１５】
請求項２の発明では、たとえば実施例でいえば、底板部材（１２ａ，１２ｂ)は接合端面（１８ａ，１８ｂ)で突き合せて接合される（組み合せられる）が、この接合端面に凹部（２０Ａａ，２０Ａｂ，２０Ｂａ，２０Ｂｂ）を形成すると、底板部材（１２ａ，１２b)を接合するとき凹部（２０Ａａ，２０Ａｂ，２０Ｂａ，２０Ｂｂ）で立ち上がり管（１０２，１０４）を挟むことができる。
【００１６】
請求項２の発明によれば、底板を容易に設置することができる。
【００１７】
請求項３の発明は、請求項１または２記載の発明に従属し、底板部材および枠体にそれぞれ形成される第１嵌合部および第２嵌合部をさらに備える、桝である。
【００１８】
請求項３の発明では、たとえば実施例でいえば、底板部材（１２ａ、１２ｂ）の上面に第１嵌合部として溝（２６Ａａ、２６Ａｂ）を形成し、枠体（１４）の下端に第２嵌合部として突起（２８）を形成し、これらの第１嵌合部と第２嵌合部が嵌合部として機能する。
【００１９】
請求項３の発明によれば、嵌合部によって枠体と底板とを一体化するので底板（底板部材）が分離するのを拘束し、その一体化構造が安定する。
【００２０】
請求項４の発明は、請求項３記載の発明に従属し、第１嵌合部は底板部材の上面および下面にそれぞれ形成される、桝である。
【００２１】
請求項４の発明では、たとえば実施例でいえば、底板部材（１２ａ、１２ｂ）の下面にも上面の溝（２６Ａａ、２６Ａｂ）と同じような溝（２６Ｂａ、２６Ｂｂ）を形成する。枠体（１４）の下端に突起（２８）はどちらの溝にも嵌合できる。
【００２２】
請求項４の発明によれば、底板部材を裏使いしても、枠体と底板部材とを一体化できる。つまり、底板部材をリバーシブルにできる。
【００２３】
請求項５の発明は、請求項１ないし４のいずれかに記載の発明に従属し、底板部材は、底板の周縁の少なくとも一部が枠体の外方に露出する大きさにされる、桝である。
【００２４】
請求項５の発明では、枠体（１４）および底板部材（１２ａ、１２ｂ）のサイズは、底板（１２）の周縁に所定幅（Ｗ）の底板部分が露出する大きさに設定される。
【００２５】
請求項５の発明によれば、枠体の外方に底板が露出するので、その上に土を載せて底板を土圧によって安定させることができる。
【００２６】
請求項６の発明は、請求項１ないし５のいずれかに記載の発明に従属し、枠体は、立ち上がり管の管端より高い位置に形成される流出部を含む、桝である。
【００２７】
請求項６の発明では、枠体（１４）には、その中に溜まった水を圃場に流出させるための流出部（１６）を形成するが、その流出部（１６）は高さ（Ｈ）の堰（１７）の上に形成される。その堰（１７）すなわち流出部（１６）の高さ（Ｈ）は立ち上がり管（１０４）の管端（入口端）の高さよりも高い。したがって、立ち上がり管（１０４）の入口端から桝（１０）すなわち枠体（１４）内に溜まった水を取り込んで地下灌漑用のたとえば横管に供給することができる。
【００２８】
請求項６の発明によれば、地下灌漑が可能な桝が得られる。
【００２９】
請求項７の発明は、組み合わせるときに立ち上がり管を挟むことができるように分割され、組み合わせることによって底板を形成する底板部材、および底板部材が形成する底板と一体化される枠体を用いて、立ち上がり管の管端を内部に包含する桝の設置方法であって、底板部材を、立ち上がり管を挟むように組み合わせて底板を設置し、そして枠体を、立ち上がり管の管端を囲繞するように底板と一体化する、桝の設置方法である。
【００３０】
請求項７の発明では、たとえば請求項１ないし６のいずれかの発明に従った底板部材（１２ａ、１２ｂ）と枠体（１４）を用いる。そして、底板部材（１２ａ、１２ｂ）を立ち上がり管（１０２、１０４）を挟むように組み合わせて底板（１２）を設置する。実施例では、底板部材（１２ａ、１２ｂ）は接合端面（１８ａ、１８ｂ）で突き合わされて接合されるようにし、そのそれぞれの接合端面に、立ち上がり管を受容する凹部（２０Ａａ、２０Ａｂ、２０Ｂａ、２０Ｂｂ）を形成し、それによって底板部材が立ち上がり管を挟むことができるようにしている。したがって、底板部材の凹部（２０Ａａ、２０Ａｂ、２０Ｂａ、２０Ｂｂ）で立ち上がり管を挟んで底板（１２）を形成すると、その底板（１２）上に立ち上がり管（１０２、１０４）の管端がある。つまり、立ち上がり管が底板部材（１２ａ、１２ｂ）を組み合わせることによって形成される孔（２２、２４）を貫通して、管端が底板上に位置する。このとき、必要なら、立ち上がり管と底板部材との隙間をモルタルなどで埋める。その後、枠体を、立ち上がり管の管端を囲繞するように底板と一体化する。
【００３１】
請求項７の発明によれば、立ち上がり管やそれの付属物が合っても、容易に、桝を設置することができる。
【００３２】
請求項８の発明は、組み合わせるときに立ち上がり管を挟むことができるように分割され、組み合わせることによって底板を形成する底板部材、および底板部材が形成する底板と一体化される枠体を用いて、立ち上がり管の管端を内部に包含する桝の更新方法であって、立ち上がり管を残して既設の桝を除去し、底板部材を、立ち上がり管を挟むように組み合わせて底板を設置し、そして枠体を、立ち上がり管の管端を囲繞するように底板と一体化する、桝の更新方法である。
【００３３】
請求項８の発明では、底板部材を設置する前に、既設の桝を除去する。その後は、請求項７の発明と同様の方法で新しい桝を設置することができる。
【００３４】
請求項８の発明によれば、立ち上がり管や付属物を残して既設の桝を除去するだで、容易に桝を更新することができる。
【発明の効果】
【００３５】
この発明によれば、立ち上がり管やそれの付属物があっても、容易に、桝を設置しまたは更新できる。
【００３６】
この発明の上述の目的、その他の目的、特徴および利点は、図面を参照して行う以下の実施例の詳細な説明から一層明らかとなろう。
【図面の簡単な説明】
【００３７】
【図１】図１はこの発明の一実施例の桝をその中に設置されている給水バルブなどとともに示す斜視図である。
【図２】図２は図１実施例の桝を分解して示す斜視図である。
【図３】図３は図１実施例の桝の底板を示す平面図である。
【図４】図４は図３実施例の底板の断面構造を示す、図３の線IV−IVにおける断面図である。
【図５】図５は図１実施例の桝の枠体を示す平面図である。
【図６】図６は図５実施例の枠体の断面構造を示す、図５の線VI−VIにおける断面図である。
【図７】図７は図３実施例の底板の上に図５実施例の枠体を載せて両者を図１図示のように一体化したときの、嵌合部を示す図解図である。
【図８】図８は図１実施例に従った桝の更新手順の一例を示す図解図であり、図８（ａ）は既設の桝を除去した状態を示し、図８（ｂ）は底板を設置する状態を示し、図８（ｃ）は底板上に枠体を設置する状態を示す。
【図９】図９は桝の具体的な設置例を示す図解図である。
【図１０】図１１はこの発明の他の実施例に従った桝の枠体を示す図解図であり、図１０（ａ）は平面、図１０（ｂ）は正面、図１０（ｃ）は背面をそれぞれ示す。
【図１１】図１１は図１０実施例の枠体のための底板を示し、図１１（ａ）は平面図、図１１（ｂ）は側面図である。
【図１２】図１２はこの発明の他の実施例に従った桝をその中に設置している給水バルブとともに示す図解図である。
【図１３】図１３は図１２実施例の桝の底板を示す図解図である。
【図１４】図１４はこの発明のさらに他の実施例に従った桝の底板を形成する底板部材を示す図解図である。
【図１５】図１５は図１４実施例の底板部材の嵌合構造を示す図解図である。
【図１６】図１６は図１５実施例の底板部材で形成した底板と枠体とを一体化した状態を示す図解図である。
【図１７】図１７はこの発明のその他の実施例に従った桝において底板と枠体とを一体化した状態を示す図解図である。
【発明を実施するための形態】
【００３８】
図１を参照して、この実施例の桝１０は、特許文献１および特許文献２などで公知の灌漑方式（１つの桝で圃場の地表灌漑も地下灌漑も可能な方式）に用いられるものである。しかしながら、この発明の桝はこのような特殊な灌漑方式に用いられるものに限定されるものではなく、他の一般的な農業用桝、さらにはそれ以外の用途の桝として用いられ得ることを予め指摘しておく。
【００３９】
この実施例の桝１０は、平面矩形の底板１２および底板１０上に設置される４角筒形状の枠体１４を含み、枠体１４の１つの側面には流出部１６が形成される。つまり、当該側面の下端から高さＨの側板部分を堰１７として残し、その上に流出部１６が形成されている。なお、底板１２および枠体１４は、桝１０が屋外に設置されることから、耐候性、耐紫外線性などを考慮して、それぞれコンクリート製であるが、その他の材料たとえば合成樹脂などを排除するものではない。また、底板１２と枠体１４の材質が異なっていてもよい。たとえば、底板１２を合成樹脂で形成し、枠体１４をコンクリートで形成するようにしてもよい。
【００４０】
底板１２を貫通して枠体１０の内部に、この実施例では２つの立ち上がり管１０２および１０４の管端が臨まされていて、一方の立ち上がり管１０２が給水用のものであり、その出口端には給水バルブ１０６が設けられる。この給水バルブ１０６の上端には、出口端から上方に吐出される水を地表方向（下方）に向けるための傘のようなキャップ１０８を含む。キャップ１０８の直径は、立ち上がり管１０２の直径（口径）より大きい。なお、給水バルブ１０６は、図示しないが、圃場に流出させる水の量を調整するための水量調整機構（バルブ）を含む。
【００４１】
なお、立ち上がり管１０２の管端つまり出力端は、堰１７の高さＨより高い位置に設定されている。
【００４２】
別の立ち上がり管１０４は、地下灌漑用のものであり、管端の高さは、地表灌漑用の立ち上がり管１０２の管端の高さより低く、さらには、堰１７の高さＨより低く設定されている。そして、この立ち上がり管１０４の管端は入口端として機能し、この入口端は、不使用時には、キャップ（栓）１１０によって封止される。
【００４３】
図１実施例の底板１２は、図２の分解斜視図や図３の平面図からよく分かるように、立ち上がり管１０２および１０４を挟んで２つ割りにされていて、それぞれが平面３角形状の底板部材１２ａおよび１２ｂをそれらの接合端面１８ａおよび１８ｂで互いに突き合せて接合することによって形成される。なお、このように１枚の底板１２を２つ割りの底板部材１２ａおよび１２ｂで形成することによって、後に説明するように、桝１０を設置しまたは更新するときに、給水バルブ１０６などがあっても、桝１０だけを容易に更新できるようになる。
【００４４】
なお、実施例では、底板１２の平面形状が正方形であるので、底板部材１２ａおよび１２ｂの平面形状は直角二等辺３角形に形成される。ただし、底板１２の全体形状は正方形に限るものではなく、長方形など任意の形状でよい。長方形の場合には当然、二等辺３角形ではなく、単なる直角３角形になるが、いずれの場合も、底辺が接合端面１８ａおよび１８ｂとなる。
【００４５】
ここで、各底板部材１２ａおよび１２ｂを説明するが、両者は、接合端面１８ａおよび１８ｂにおいて線対称に形成されるので、以下では、一方の底板部材１２ａを主に説明し、他方の底板部材１２ｂについては、必要な場合を除いて、参照符号の末尾に「ｂ」を付すにとどめ、重複する説明は省略する。
【００４６】
底板部材１２ａは平面３角形状に形成され、その底辺に相当する部分が上述の接合端面１８ａとして形成され、その接合端面１８ａには、上で説明した２つの立ち上がり管１０２および１０４を、他方の底板部材１２ｂと協働して挟むための、平面半円形の２つの凹部２０Ａａおよび２０Ｂａが形成される。凹部２０Ａａの位置は立ち上がり管１０２の位置に対応していて、凹部２０Ｂａの位置は立ち上がり管１０４の位置に対応する。
【００４７】
詳しく言うと、底板部材１２ａの凹部２０Ａａと底板部材１２ｂの凹部２０Ａｂとで図３および図４に示す孔２２を形成し、この孔２２に立ち上がり管１０２が挿通される。底板部材１２ａの凹部２０Ｂａと底板部材１２ｂの凹部２０Ｂｂとで図３および図４に示す孔２４を形成し、この孔２４に立ち上がり管１０４が挿通される。つまり、底板部材１２ａおよび１２ｂは、立ち上がり管１０２（１０４）を挟むように接合されて１つの底板１２を形成する。
【００４８】
底板部材１２ａの上面には、底板部材１２ａの側端から所定幅Ｗ（図１）内側に入った位置に、３角形の直角を挟む各辺に平行に、連続する溝２６Ａａが形成される。
【００４９】
ただし、この底板部材１２ａをリバーシブル（reversible：裏使いができる）にする場合には、図４に特に示すように、底板部材１２ａの下面に、溝２６Ａａと同じ位置に溝２６Ｂａを形成するようにすればよい。そうすれば、底板部材１２ａおよび１２ｂを接合端面１８ａおよび１８ｂで線対称に形成しているので、実質的に１つの底板部材１２ａだけで１枚の底板１２を形成することができる。したがって、部品点数が少なくて済む。
【００５０】
底板１２の上に載置されて底板１２と一体化される枠体１４は、図５および図６にも示すように、平面正方形の筒状体であり、１つの側面には、所定の高さＨの側板部分すなわち堰１７を残してその上に、前述の流出部１６が形成される。なお、このような流出部１６を形成するためには、いわゆるノックアウト方式（各側面を予め肉薄に形成しておき、現場の設置環境に応じて任意の側面を破損してその部分を流出部とする方式）で形成するようにしてもよい。
【００５１】
枠体１４の下端には、上で説明した底板部材１２ａおよび１２ｂの上面に形成された溝２６Ａａおよび２６Ａｂに嵌まり合う突起２８が形成される。すなわち、枠体１４を底板１２上に載置して両者を一体化するとき、図７に示すように、底板１２（１２ａ、１２ｂ）上の溝２６Ａ（２６Ａａ、２６Ａｂ）に突起２８を嵌合させる。このとき、必要に応じてコンクリート接着剤（たとえば、「タフボンド」(商品名)）を溝２６Ａ内に塗布しておき、その状態で突起２８を溝２６Ａに挿入するようにすればよい。接着剤を用いれば、底板１２（底板部材１２ａ、１２ｂ）と枠体１４との一体化構造が強固になる。
【００５２】
なお、この実施例では、嵌合部を設けるために、上述のように底板１２すなわち底板部材１２ａおよび１２ｂに連続する溝２６Ａを嵌合凹部として形成し、枠体１４にそれに嵌まり合う連続する突起２８を嵌合凸部として形成した。しかしながら、突起だけを間欠的に（飛び飛びに）形成してもよく、あるいは溝２６Ａを間欠的に形成し、突起２８もそれに合わせて間欠的に形成してもよい。
【００５３】
さらに、底板１２すなわち底板部材１２ａおよび１２ｂと枠体１４とにそれぞれ形成された第１嵌合部および第２嵌合部は、実施例のように底板側の第１嵌合部が嵌合凹部（溝）であり、枠体側の第２嵌合部が嵌合凸部（突起）であってよいが、逆に底板側の第１嵌合部を嵌合凸部（突起）とし、枠体側の第２嵌合部を嵌合凹部（溝）にしてもよい。
【００５４】
次に、図８を参照して、桝の更新方法を説明する。まず、老朽化したまたは破損した、更新すべき既設の桝をたとえばハンマーなどで砕いて除去する。既設の桝を除去した状態が図８（ａ）に示される。図８（ａ）の例では、図１に示すように２つの立ち上がり管１０２および１０４が、それらの付属物たとえば給水バルブ１０６（キャップ１０８を含む。）やキャップ１１０を付属したまま、露出される。
【００５５】
次いで、図８（ｂ）に示すように、立ち上がり管１０２を凹部２０Ａａおよび２０Ａｂ（図２、図３）で挟み、立ち上がり管１０４を凹部２０Ｂａおよび２０Ｂｂ（図２、図３）で挟むように、接合端面１８ａおよび１８ｂにおいて、２つの底板部材１２ａおよび１２ｂを接合する。その状態では、図４に示す孔２２を立ち上がり管１０２が挿通した状態（底板１２を貫通した状態）となり、孔２４を立ち上がり管１０４が挿通した状態（底板１２を貫通した状態）となる。
【００５６】
ただし、図８（ｂ）の状態では、２つの底板部材１２ａおよび１２ｂは互いに拘束されている訳ではないので、もし設置場所が傾斜していたり、でこぼこだったりしたときは、底板部材１２ａおよび１２ｂは離れてしまう可能性がある。したがって、底板１２（１２ａ、１２ｂ）を設置すべき場所はできるだけ平坦でかつ水平にできるだけ近い状態になるよう、下処理を行うことが望ましい。
【００５７】
さらには、立ち上がり管１０２および１０４の周囲の底板部材１２ａおよび１２ｂとの隙間（或る設計例では管１０２や１０４の周囲に幅１０ｍｍ程度の環状の隙間が生じる。）をモルタルや充填系接着剤などで埋めるようにすれば、後述のように桝内に溜まる水がそのような隙間から流出して底板１２の下方の土を穿つことによって底板１２が傾斜したりする問題が回避できる。また、そのように立ち上がり管１０２および１０４の周囲の隙間を接着剤などで埋めるようにすれば、その接着剤などによって立ち上がり管１０２および１０４に底板部材１２ａおよび１２ｂが接着されることになり、接合している底板部材１２ａおよび１２ｂどうしが分離したりするのを防止できる。
【００５８】
その後、図８（ｃ）に示すように、接合した底板部材すなわち底板１２の上に、枠体１４を載せる。つまり、枠体１４の下端の突起２８を底板部材１２ａおよび１２ｂの上面の溝２６Ａに、図７に示すように嵌合させる。このとき、上述のように、溝２６Ａと突起２８とを接着剤で接着するようにしてもよい。
【００５９】
図８（ｃ）のように接合した底板部材１２ａおよび１２ｂ、すなわち底板１２の上に枠体１４を載せ、突起２８を溝２６Ａに嵌合して、底板１２と枠体１４を一体化することによって、２つの底板部材１２ａおよび１２ｂを枠体１４で拘束することができる。したがって、２つの底板部材１２ａおよび１２ｂの接合が維持される。
【００６０】
なお、桝１０を新規に設置する場合も図８に示す手順に従うが、更新時に必要であった既設の桝の除去のステップは必要ない。
【００６１】
図９はこのような桝１０の設置例を示し、この実施例では、桝１０は、圃場２００の上流側の畦２０２の近傍に設置される。あぜ２０２の下端の圃場２００との境目付近に立ち上がり管１０２および１０４が配管されていて、立ち上がり管１０２の出力端には給水バルブ１０６が設けられている。その状態で図８のようにして桝１０を設置しまたは更新する。このとき、図９に示すように、底板１２の、枠体１４より外方にはみ出た幅Ｗ（図１）の部分の上に圃場２００やあぜ２０２の土を載せる（土かぶり）とともに、枠体１４の下部を地中に埋設するので、その土圧によって桝１０が安定的に保持される。
【００６２】
底板１２の、枠体１４よりはみ出た部分は、一定の幅Ｗを持つようなものに限らず、はみ出る幅は場所によって異なっていてもよいし、はみ出ない部分があってもよい。つまり、底板１２の周縁の少なくとも一部が任意の幅で枠体１４からはみ出していればよい。
【００６３】
また、底板すなわち底板部材の設置面積は大きければ大きいほど沈下防止や安定設置に効果的である。しかしながら、設置面積が大きいと材料費が高くなるだけでなく、重量が大きくなって持ち運びに不便が生じるので、総合的にこれらを勘案して最適サイズに設計すればよい。
【００６４】
立ち上がり管１０２には矢印Ａの方向にポンプなどの水源（図示せず）から給水管１１２を通って水が送られる。この水は、必要に応じて給水バルブ１０６での水量調整を受け、立ち上がり管１０２の出力端から吐出される。上方向に吐出された水はキャップ１０８で方向転換され、桝１０内に落下して桝（枠体１４）内に溜まる。桝内に溜まった水が高さＨの堰１７を越えると、流出部１６から水が矢印Ｂの方向に流出し、圃場２００の地表上を流れる。桝１０が上流側に設置されているので、桝１０から溢れ出た水がやがて圃場２００の下流側末端にまで流下する。このようにして、圃場２００の地表灌漑が行われ得る。
【００６５】
このとき、桝１０は枠体１４だけでなく底板１２（１２ａ、１２ｂ）も設けられているので、上述のようにキャップ１０８から落下する水によって、桝の下の土が穿たれることがない。したがって、桝１０は長期に亘って安定した設置状態を保持できる。
【００６６】
圃場２００の地下灌漑をするためには、立ち上がり管１０４のキャップ１１０を外す。立ち上がり管１０４の管端すなわち入口端は枠体１４の堰（高さＨの側板部分）１７より下位にあるので、桝１０すなわち枠体１４の内部に溜まった水が、この立ち上がり管１０４の入口端から矢印Ｃ方向に流下し、圃場２００の土中に埋設された横管２０４へ流れ込む。この横管２０４は一例として有孔管であり、立ち上がり管１０４から流入した水が孔から流出し、それによって圃場２００は、地下において、上流側から下流側へ徐々に灌漑される。
【００６７】
図１０はこの発明の他の実施例に従った桝の枠体１４を示す図解図である。この実施例の桝は、以下の点を除いて先の実施例の桝と同様であるので、同一または類似の部分に同一または類似の参照符号を付して、重複する説明は省略する。
【００６８】
この実施例の枠体１４は全体として、各側板が下から上に向かって僅かに内方に傾斜している（テーパが付けられている）。これは金型からの離脱を容易にするための抜き勾配のためであるとともに、桝全体の重心を可及的下方にして安定化させるのに役立つ。
【００６９】
この図１０の枠体１４において、図１０（ｂ）の正面図では一部が点線で示され、図１０（ｃ）の背面図では全部実線で示されるように、ノックアウト方式で背面（流出部１６がある側面が正面としたとき。）に横孔が形成できるように横孔用肉薄部３０が形成される。
【００７０】
この横孔を通して、たとえば先に挙げた特許文献１の図２のような、給水管（図示せず）が枠体１４内にもたらされ、そこから桝（枠体１４）内に水を供給することができる。
【００７１】
上述の実施例では、図９に示すように配管された給水管１１２から立ち上がり管１０２を経て水源からの水を桝１０内すなわち枠体１４内に導入するようにしたが、給水管や立ち上がり管を設置していない圃場の場合、給水管や立ち上がり管を新たに設置することは費用の点で問題である。そこで、この実施例では、給水管や立ち上がり管を持たない圃場にも適用できるようにするために、このように枠体１４に横孔を形成できるように横孔用肉薄部３０を形成している。
【００７２】
また、給水管（立ち上がり管１０２）は地下から立ち上がっているが、上述の有孔管２０４に接続する立ち上がり管１０４がない場合に、ノックアウト方式で開口させた横孔から有孔管を接続することにも使用できる。
【００７３】
そして、流出部１６として機能させるべき側面においては、図１０においての正面のように、必要に応じて、蓋体３２がその流出部１６に装着されまたは取り外される。
【００７４】
先の実施例と同様に、図１０に示す枠体１４が図１１に示す底板１２すなわち底板部材１２ａおよび１２ｂの上に載置されて両者が一体化されるのであるが、この実施例では、図１１（ｂ）に示すように、底板部材１２ａおよび１２ｂの下面には溝（図４に示す溝２６Ｂａ、２６Ｂｂに相当するもの。）を形成していない。つまりこの実施例の底板部材１２ａおよび１２ｂはリバーシブルではない。
【００７５】
この実施例の底板部材１２ａおよび１２ｂの接合端面１８ａおよび１８ｂには、半円形の凹部２０Ａａならびに２０Ｂａおよび２０Ａｂならびに２０Ｂｂが形成され、両者が接合端面１８ａおよび１８ｂで接合されたとき、先の実施例の立ち上がり管１０２および１０４を受け入れるための孔２２および２４を形成する。したがって、先の実施例と同じように立ち上がり管１０２および１０４を利用するのであれば、この孔２２および２４に立ち上がり管１０２および１０４を挿通して立ち上がり管１０２および１０４の出力端および入力端を枠体１４内に臨ませるようにすればよい。この場合、背面の横孔（図１０）は利用しないのであるから、この背面の横孔用肉薄部３０は開口しないままにしておく。
【００７６】
逆に、横孔から給水する場合、使用しない立ち上がり管１０２用の孔２２または立ち上がり管１０４用の孔２４は蓋（図示せず）で、もしくは底板部材１２ａおよび１２ｂを設置したときにモルタルや充填系接着剤で、封止する必要がある。
【００７７】
上述の実施例はいずれも、必要なら地下灌漑ができる桝であったが、このような地下灌漑用の配管がない場合、地表灌漑ができるだけである。図１２および図１３の実施例は、そのための桝である。
【００７８】
図１２および図１３に示す実施例の桝１０は、底板１２すなわち底板部材１２ａおよび１２ｂで形成する孔を１つだけにした点を除いて図１の実施例と同様である。
【００７９】
つまり、図１２に示すように、底板部材１２ａおよび１２ｂの接合端面１８ａおよび１８ｂには、１つの凹部２０Ａａおよび２０Ａｂだけを、そのほぼ中央に形成している。したがって、この実施例では、底板１２すなわち底板部材１２ａおよび１２ｂで１つの孔２２を形成し、その孔に立ち上がり管１０２を挿通させ、それの出力端を枠体１４内に臨ませる。そして、給水バルブ１０６から供給される水が桝１０すなわち枠体１４内に溜まり、高さＨの堰１７を越えたとき流出部１６から水が圃場に流れ出す。
【００８０】
ただし、この実施例では地下灌漑用の立ち上がり管を使用しないので、堰１７の高さＨはもっと低くてもよく、場合によっては、堰そのものがなくてもよい。この場合には、給水バルブ１０６からの水が一旦桝内に溜まることなく、そのまま流出する。
【００８１】
なお、図１３の実施例では、底板部材１２ａおよび１２ｂの裏面の溝は形成していない。
【００８２】
図１４および図１５に示す実施例の底板部材１２ａおよび１２ｂでは、接合端面１８ａおよび１８ｂに、接合突起３６ａおよび接合溝３６ｂを形成する。そして、接合端面１８ａおよび１８ｂを突き合わせて底板部材１２ａおよび１２ｂを接合するとき、接合突起３６ａを接合溝３６ｂへ嵌め合わせることによって、底板部材１２ａおよび１２ｂが傾斜地やでこぼこ面に設置されても容易に分解されないように、強固な接合が可能となる。
【００８３】
なお、接合突起３６ａと接合溝３６ｂを単に嵌合させるだけでなく、両者を接着剤で接着するようにしてもよい。
【００８４】
接合突起３６ａおよび接合溝３６ｂを底板部材１２ａおよび１２ｂにそれぞれ形成したが、底板部材１２ａおよび１２ｂに接合溝および接合突起を設けるようにしてもよい。
【００８５】
図１４および図１５に示す実施例の底板部材１２ａおよび１２ｂは、たとえば図３や図１１に示す実施例の底板部材に比べて、枠体１４の突起２８（図２、図１０）を嵌める溝２６Ａに相当する溝が形成されておらず、したがって、その溝から外側の部分、つまり、先の実施例で枠体１４の外方に露出する幅Ｗ（図１、図１１、図１２など）の部分がない。すなわち、この実施例の底板部材１２ａおよび１２ｂで構成される１枚の底板のサイズは、枠体１４の内法のサイズに対応するものとなっている。したがって、この実施例の底板１２（底板部材１２ａ、１２ｂ）は、図１６に示す枠体１４と一緒に用いられる。
【００８６】
図１６の実施例の枠体１４では、下端から底板１２の厚みＴに相当する高さにそれの下面が位置するように、内方に突出する押さえ突起３８を形成する。そして、上で説明したと同様の方法で、立ち上がり管（ここでは図示せず）を挟むように底板部材１２ａおよび１２ｂを接合し、必要なら立ち上がり管と孔との隙間をモルタルや充填接着剤で埋めた後、底板１２（底板部材１２ａ、１２ｂ）の外側に枠体１４を嵌めて、桝１０の設置が完了する。このとき、底板１２すなわち底板部材１２ａおよび１２ｂの周側縁および周側面が第１嵌合部として、また枠体１４の内面および押え突起３８が第２嵌合部として機能する。
【００８７】
なお、図１４および図１５に示す接合突起３６ａと接合溝３６ｂを先に説明した各実施例の溝２６Ａがある底板部材１２ａおよび１２ｂに形成するようにしてもよい。
【００８８】
図１７の実施例の桝１０では、枠体１４の下面の突起２８（図６など）を形成しておらず、枠体１４の下端は平坦なままである。そして、底板１２すなわち底板部材１２ａおよび１２ｂの周縁は、そのような枠体１４の下端面をそのまま載置できるような肉薄部４０として形成されている。つまり、肉薄部４０の周側面が枠体１４の内面の当り面４２となる。そして、この実施例では、各実施例と同様の方法で、立ち上がり管（ここでは図示せず）を挟むように底板部材を接合して１枚の底板１２を形成し、必要なら立ち上がり管と孔との隙間をモルタルや充填接着剤で埋めた後、底板１２の肉薄部４０に枠体１４を載置して、桝１０を完成させる。この実施例では、底板１２すなわち底板部材１２ａおよび１２ｂの肉薄部４０や当り面４２が第１嵌合部として、また枠体１４の下端や内面が第２嵌合部として機能する。
【００８９】
上述の実施例では、立ち上がり管が２つの場合、底板に形成する孔は２つとし、立ち上がり管が１つだけなら底板にも１つだけの孔を形成するようにした。底板の孔は、必要なら３つ以上形成するようにしてもよい。ただし、この場合も、分割した底板部材（実施例でいうなら底板部材１２ａおよび１２ｂ）が組み合わせ時にすべての孔を挟むように形成される必要がある。さもなければ、立ち上がり管を残したまま桝を更新するということができなくなるからである。
【００９０】
さらに、底板部材は実施例のような２分割ではなく、３つ以上の底板部材を組み合わせて底板を形成するようにしてもよい。ただし、この場合も、立ち上がり管を残したまま桝を更新するという目的を達成するためには、すべての底板部材が組み合わせ時にすべての孔を挟むように形成される必要がある。
【００９１】
また、実施例では、平面形状が矩形の桝１０について説明した。しかしながら、桝の平面形状は、矩形に限らず、円形やその他の異形であってもよい。
【００９２】
そして、実施例では底板部材は接合端面における突き合せ接合によって組み合わせる場合について説明した。しかしながら、底板部材の組み合わせ構造や組合せ方法はこれに限ることなく、立ち上がり管を挟むことができるものであれば、他の任意の組み合わせ構造や組合せ方法が採用されてもよい。
【００９３】
なお、上述した径や幅、高さ等の具体的数値は、いずれも単なる一例であり、必要に応じて適宜変更可能である。
【符号の説明】
【００９４】
１０  …農業用桝（桝）
１２  …底板
１２ａ、１２ｂ  …側板部材
１４  …枠体
１６  …流出部
１７  …堰
１８ａ、１８ｂ  …接合端面
２０Ａａ、２０Ａｂ、２０Ｂａ、２０Ｂｂ  …凹部
２２、２４  …孔
２６Ａａ、２６Ａｂ、２６Ｂａ、２６Ｂｂ  …溝
２８  …突起
３０  …給水孔
３２  …蓋体
３４  …受容部
３６ａ  …接合突起
３６ｂ  …接合溝
３８  …押さえ突起
４０  …肉薄部
４２  …当り面
１０２、１０４  …立ち上がり管
１０６  …給水バルブ
１０８、１１０  …キャップ
１１２  …給水管
２００  …圃場
２０２  …あぜ
２０４  …横管
【図１】
2014087306.tif 000003
【図２】
2014087306.tif 000004
【図３】
2014087306.tif 000005
【図４】
2014087306.tif 000006
【図５】
2014087306.tif 000007
【図６】
2014087306.tif 000008
【図７】
2014087306.tif 000009
【図８】
2014087306.tif 000010
【図９】
2014087306.tif 000011
【図１０】
2014087306.tif 000012
【図１１】
2014087306.tif 000013
【図１２】
2014087306.tif 000014
【図１３】
2014087306.tif 000015
【図１４】
2014087306.tif 000016
【図１５】
2014087306.tif 000017
【図１６】
2014087306.tif 000018
【図１７】
2014087306.tif 000019